(57)【要約】【課題】構造が簡単でコンパクトな構成とすることができ、また部品数を少なく抑えることができるエレベータの重量測定装置、及び重量測定方法の提供。【解決手段】本発明は、昇降路８と、第１，第２ガイドレール５ａ，５ｂと、これらの第１，第２ガイドレール５ａ，５ｂを支持する第１，第２支持部材７ａ，７ｂと、乗かご１、上枠３等を含む乗かご装置とを備えたエレベータに設けられ、乗かご装置の重量の測定に活用される荷重センサ６を備えたエレベータの重量測定装置において、荷重センサ６を保持し、第１，第２支持部材７ａ，７ｂに取り付けられる荷重センサ保持装置１６と、乗かご装置に含まれる上枠３に設けられ、昇降路８の壁面８ａに近づく方向に移動させた際に、第１，第２支持部材７ａ，７ｂに取り付けられた荷重センサ保持装置１６に保持させた荷重センサ６の上部に当接可能な当接装置４とを備えている。【選択図】図１
2015081190.tif 000002
【特許請求の範囲】
【請求項１】
昇降路と、この昇降路の壁面に沿って上下方向に立設されるガイドレールと、このガイドレールを前記昇降路の前記壁面に支持させる支持部材と、前記ガイドレールに案内されて前記昇降路内を昇降する乗かご装置とを有するエレベータに設けられ、
前記乗かご装置の重量の測定に活用される荷重センサを備えたエレベータの重量測定装置において、
前記荷重センサを保持し、前記支持部材に取り付けられる荷重センサ保持装置と、
前記乗かご装置に設けられ、前記昇降路の前記壁面に近づく方向に移動させた際に、前記支持部材に取り付けられた前記荷重センサ保持装置に保持させた前記荷重センサの上部に当接可能な当接装置とを備えたことを特徴とするエレベータの重量測定装置。
【請求項２】
請求項１に記載のエレベータの重量測定装置において、
前記乗かご装置は、乗かごと、この乗かごを支持し、メインロープによって吊下げられる上枠とを有し、
前記支持部材は、前記乗かごを挟んで一方側に配置される第１ガイドレールを支持する第１支持部材と、前記乗かごを挟んで他方側に配置される第２ガイドレールを支持する第２支持部材とから成り、
前記第１支持部材に取り付けられた前記荷重センサ保持装置によって２つの前記荷重センサを保持させ、前記第２支持部材に取り付けられた前記荷重センサ保持装置によって別の２つの前記荷重センサを保持させ、
前記当接装置は、
前記上枠の前記第１ガイドレールに近づく側の両側面を挟むように保持され、それぞれ前記第１支持部材に取り付けられた前記荷重センサ保持装置によって保持された２つの前記荷重センサのうちの互いに異なる１つに当接可能な１組の移動部材と、
前記上枠の前記第２ガイドレールに近づく側の両側面を挟むように保持され、それぞれ前記第２支持部材に取り付けられた前記荷重センサ保持装置によって保持された２つの前記荷重センサのうちの互いに異なる１つに当接可能な他の１組の移動部材と、
前記１組の移動部材のそれぞれを、記第１支持部材に取り付けられた前記荷重センサ保持装置によって保持された２つの前記荷重センサのうちの該当する１つに当接させた状態で、前記１組の移動部材どおしを連結する連結部材と、
前記他の１組の移動部材のそれぞれを、記第２支持部材に取り付けられた前記荷重センサ保持装置によって保持された２つの前記荷重センサのうちの該当する１つに当接させた状態で、前記他の１組の移動部材どおしを連結する連結部材とを含むことを特徴とするエレベータの重量測定装置。
【請求項３】
請求項２に記載のエレベータの重量測定装置において、
前記上枠に固定され、水平方向に並設された第１ピン及び第２ピンを備え、
前記当接装置は、水平方向に沿って形成され、前記第１ピンが挿入される第１長穴と、水平方向に沿って形成され、第２ピンが挿入される第２長穴とを有することを特徴とするエレベータの重量測定装置。
【請求項４】
請求項３に記載のエレベータの重量測定装置において、
前記第１長穴は、前記昇降路の前記壁面に近づく側の端部付近に上方に向って設けられ、前記第１ピンが相対的移動可能に収容される溝部を有し、
前記第２長穴は、前記昇降路の前記壁面から離れる側の端部付近に下方に向って設けられ、前記第２ピンが相対的移動可能に収容される複数の溝部を有することを特徴とするエレベータの重量測定装置。
【請求項５】
請求項１〜４のいずれか１項に記載のエレベータの重量測定装置において、
前記荷重センサ保持装置は、
前記支持部材に載置され、前記荷重センサを保持する上板と、
前記支持部材の下側に配置される下板と、
前記上板と前記下板とを前記支持部材を挟むように締結して、前記支持部材に固定する締結具とを含むことを特徴とするエレベータの重量測定装置。
【請求項６】
請求項１に記載のエレベータの重量測定装置を用いて、前記乗かご装置の重量を測定するエレベータの重量測定方法において、
前記ガイドレールを前記昇降路の前記壁面に支持させる前記支持部材に、前記荷重センサ保持装置を取り付け、
この状態で前記荷重センサを前記荷重センサ保持装置に保持させ、
前記当接装置を、前記昇降路の前記壁面に近づく方向に移動させて、前記荷重センサの上部に当接させ、
この状態で、前記乗かご装置を下降させるようにし、
前記乗かご装置の下降に伴う前記当接装置の下降による押圧を受けた前記荷重センサによって、前記乗かご装置の重量を測定することを特徴とするエレベータの重量測定方法。
【発明の詳細な説明】
【技術分野】
【０００１】
本発明は、エレベータの乗かご等の重量を測定する荷重センサを備えたエレベータの重量測定装置、及び重量測定方法に関する。
【背景技術】
【０００２】
この種の従来技術が特許文献１に開示されている。この従来技術は、一対のガイドレールのそれぞれに支持部材によって水平状態に、また一対のガイドレール間にわたって支持される比較的大きな固定枠と、この固定枠に載置された複数の油圧式のジャッキと、これらのジャッキによって押し上げられる迫り上げ台とを備えている。迫り上げ台の下部に荷重センサを取り付けてあり、この荷重センサに、乗かごを移動させるメインロープを掴む掴み具が装着されている。
【０００３】
このように構成した従来技術にあっては、乗かごを移動させるメインロープ、すなわち乗かごを吊り下げているメインロープの部分を掴み具で堅固につかみ、この状態でジャッキを作動させて迫り上げ台を上昇させて、迫り台の下部に設けた荷重センサを介して掴み具を引き上げ、この掴み具の引き上げ動作に応じて作動する荷重センサによって、乗かごの重量を測定するようになっている。
【先行技術文献】
【特許文献】
【０００４】
【特許文献１】特開２００１−２２６０５２号公報
【発明の概要】
【発明が解決しようとする課題】
【０００５】
前述した従来技術は、１対のガイドレール間にわたって配置される比較大きな固定枠、複数の油圧式のジャッキ、及び迫り上げ台等を要することから重量測定装置が複雑で大型になり、昇降路内への搬入作業及び取り付け作業の作業能率の向上を見込めない問題がある。また、部品数が多くなり、製作費が高くなる問題もある。
【０００６】
本発明は、前述した従来技術における実情からなされたもので、その目的は、構造が簡単でコンパクトな構成とすることができ、また部品数を少なく抑えることができるエレベータの重量測定装置、及び重量測定方法を提供することにある。
【課題を解決するための手段】
【０００７】
前記目的を達成するために、本発明に係るエレベータの重量測定装置は、昇降路と、この昇降路の壁面に沿って上下方向に立設されるガイドレールと、このガイドレールを前記昇降路の前記壁面に支持させる支持部材と、前記ガイドレールに案内されて前記昇降路内を昇降する乗かご装置とを有するエレベータに設けられ、前記乗かご装置の重量の測定に活用される荷重センサを備えたエレベータの重量測定装置において、前記荷重センサを保持し、前記支持部材に取り付けられる荷重センサ保持装置と、前記乗かご装置に設けられ、前記昇降路の前記壁面に近づく方向に移動させた際に、前記支持部材に取り付けられた前記荷重センサ保持装置に保持させた前記荷重センサの上部に当接可能な当接装置とを備えたことを特徴としている。
【０００８】
また、前記目的を達成するために、本発明に係るエレベータの重量測定方法は、前記エレベータの重量測定装置を用いて、前記乗かご装置の重量を測定するエレベータの重量測定方法において、前記ガイドレールを前記昇降路の前記壁面に支持させる前記支持部材に、前記荷重センサ保持装置を取り付け、この状態で前記荷重センサを前記荷重センサ保持装置に保持させ、前記当接装置を、前記昇降路の前記壁面に近づく方向に移動させて、前記荷重センサの上部に当接させ、この状態で、前記乗かご装置を下降させるようにし、前記乗かご装置の下降に伴う前記当接装置の下降による押圧を受けた前記荷重センサによって、前記乗かご装置の重量を測定することを特徴としている。
【発明の効果】
【０００９】
本発明に係るエレベータの重量測定装置、及び重量測定方法によれば、ガイドレールを昇降路の壁面に支持させる支持部材を荷重センサを保持する荷重センサ保持装置の取り付け部材として活用したことから、また、当接装置を荷重センサに当接させた状態で乗かご装置を下降させることによって荷重センサを作動させて、乗かご装置の重量を測定するようにしたことから、すなわち、従来におけるような複数の油圧式のジャッキ等を設けることなく、乗かご装置の下降によって乗かご装置の重量を測定するようにしたことから、構造が簡単でコンパクトな構成とすることができ、昇降路内への搬入作業、及び取り付け作業の作業能率を従来よりも向上させることができる。また本発明は、部品数を少なく抑えることができ、従来に比べて製作費を安く抑えることができる。
【図面の簡単な説明】
【００１０】
【図１】本発明に係るエレベータの重量測定装置の一実施形態を示す正面図である。
【図２】本実施形態に係る重量測定装置を用いての重量測定が行われないときの状態を示す要部正面図である。
【図３】重量測定に際して、本実施形態に係る重量測定装置に備えられる荷重センサ保持装置をガイドレールを支持する支持部材に取り付け、荷重センサを荷重センサ保持装置に保持させた状態を示す要部正面図である。
【図４】図３に示す状態の要部平面図である。
【図５】重量測定に際して、本実施形態に係る重量測定装置に備えられる当接装置を昇降路の壁面方向に移動させて荷重センサの上部に当接させた状態を示す要部正面図である。
【図６】図５に示す状態の要部平面図である。
【発明を実施するための形態】
【００１１】
以下、本発明に係るエレベータの重量測定装置、及び重量測定方法の実施の形態を図面に基づいて説明する。
【００１２】
図１に示すように、本実施形態に係る重量測定装置は、エレベータに備えられるものであり、このエレベータは、昇降路８と、この昇降路８の壁面８ａに沿って上下方向に立設される第１ガイドレール５ａ及び第２ガイドレール５ｂと、第１ガイドレール５ａを昇降路８の壁面８ａに支持させる第１支持部材７ａ、及び第２ガイドレール５ｂを昇降路８の壁面８ａに支持させる第２支持部材７ｂとを備えている。
【００１３】
また、このエレベータは、第１，第２ガイドレール５ａ，５ｂに案内されて昇降路８内を昇降する乗かご装置を備えている。この乗かご装置は、乗かご１と、この乗かご１の周囲に設けた縦枠２と、メインロープ１０によって吊下げられる上枠３等を含んでいる。
【００１４】
第１ガイドレール５ａは乗かご１を挟んで一方側に配置され、第２ガイドレール５ｂは乗かご１を挟んで他方側に配置される。また、上枠３等には、第１ガイドレール５ａ、第２ガイドレール５ｂのそれぞれに摺接するガイドシュー９を取り付けてある。
【００１５】
また、本実施形態は、荷重センサ６を保持し第１支持部材７ａに取り付けられる荷重センサ保持装置１６、及び荷重センサ６を保持し第２支持部材７ｂに取り付けられる荷重センサ保持装置１６を備えている。図４に示すように、第１ガイドレール５ａに支持される第１支持部材７ａに取り付けた荷重センサ保持装置１６上に、２つの荷重センサ６を保持させてある。同様に、第２ガイドレール５ｂに支持される第２支持部材７ｂに取り付けた荷重センサ保持装置１６上にも２つの荷重センサ６を保持させてある。
【００１６】
第１支持部材７ａ側に配置される荷重センサ保持装置１６は、図３，４等に示すように、第１支持部材７ａに載置され、２つの荷重センサ６を保持する上板１６ａと、第１支持部材７ａの下側に配置される下板１６ｂと、上板１６ａと下板１６ｂとを第１支持部材７ａを挟むように締結して第１支持部材７ａに固定するボルト及びナットを有する締結具１６ｃとを含んでいる。
【００１７】
同様に、第２支持部材７ｂ側に配置される荷重センサ保持装置１６も、第２支持部材７ｂに載置され、２つの荷重センサ６を保持する上板１６ａと、第２支持部材７ｂの下側に配置される下板１６ｂと、上板１６ａと下板１６ｂとを第２支持部材７ｂを挟むように締結して第２支持部材７ｂに固定するボルト及びナットを有する締結具１６ｃとを含んでいる。
【００１８】
また、図１，５，６等に示すように、本実施形態は、上枠３に設けられ、昇降路８の壁面８ａに近づく方向に移動させた際に、第１支持部材７ａ、第２支持部材７ｂにそれぞれ取り付けられた荷重センサ保持装置１６に保持させたそれぞれ２つの荷重センサ６の上部に当接可能な当接装置４を備えている。
【００１９】
当接装置４は、第１支持部材７ａ側に配置され、上枠３に移動可能に保持される１組の移動部材４ａ，４ｂと、第２支持部材７ｂ側に配置され、上枠３に移動可能に保持される他の１組の移動部材４ａ，４ｂと、前述の１組の移動部材４ａ，４ｂどおしを連結する連結部材４ｃと、前述の他の１組の移動部材どおしを連結する連結部材４ｃとを含んでいる。
【００２０】
前述した１組の移動部材４ａ，４ｂは、上枠３の第１ガイドレール５ａに近づく側の両側面を挟むように保持され、それぞれ第１支持部材７ａに取り付けられた荷重センサ保持装置１６によって保持された２つの荷重センサ６のうちの互いに異なる１つに当接可能となっている。
【００２１】
前述した他の１組の移動部材４ａ，４ｂは、上枠３の第２ガイドレール５ｂに近づく側の両側面を挟むように保持され、それぞれ第２支持部材７ｂに取り付けられた荷重センサ保持装置１６によって保持された２つの荷重センサ６のうちの互いに異なる１つに当接可能となっている。
【００２２】
図３，４に示すように、１組の移動部材４ａ，４ｂを昇降路８の壁面８ａから離れる方向に退避させたときには、１組の移動部材４ａ，４ｂを連結する連結部材４ｃは、例えばこの１組に含まれる移動部材４ｂ上にボルトによって固定される。また、図１，５，６に示すように、１組の移動部材４ａ，４ｂのそれぞれを、第１支持部材７ａに取り付けた荷重センサ保持装置１６によって保持された２つの荷重センサ６のうちの該当する１つに当接させた状態にあっては、連結部材４ｃは１組の移動部材４ａ，４ｂにボルトによって連結される。
【００２３】
同様に、前述した他の１組の移動部材４ａ，４ｂを昇降路８の壁面８ａから離れる方向に退避させたときには、これらの他の１組の移動部材４ａ，４ｂを連結する連結部材４ｃは、この他の１組に含まれる移動部材４ｂ上にボルトによって固定される。また、図１に示すように、他の１組の移動部材４ａ，４ｂのそれぞれを、第２支持部材７ｂに取り付けた荷重センサ保持装置１６によって保持された２つの荷重センサ６のうちの該当する１つに当接させた状態にあっては、連結部材４ｃは他の１組の移動部材４ａ，４ｂにボルトによって連結される。
【００２４】
図４〜６に示すように、本実施形態は、上枠３に固定され、水平方向に並設された第１ピン５０及び第２ピン５１の組み合わせを、移動部材４ａ，４ｂの数に対応させて４組備えている。
【００２５】
図２等に示すように、前述した１組の移動部材４ａ，４ｂに含まれる移動部材４ｂは、水平方向に沿って形成され、第１ピン５０が挿入される第１長穴４０と、水平方向に沿って形成され、第２ピン５１が挿入される第２長穴４１を備えている。第１長穴４０は、昇降路８の壁面８ａに近づく側の端部付近に上方に向って形成され、第１ピン５０が相対的に移動可能に収容される溝部４０ａを有し、第２長穴４１は、昇降路８の壁面８ａから離れる側の端部付近に下方に向って形成され、第２ピン５１が相対的に移動可能に挿入される複数の溝部４１ａを有する。
【００２６】
前述した１組の移動部材４ａ，４ｂに含まれる移動部材４ａ、前述した他の１組の移動部材４ａ，４ｂに含まれる移動部材４ａ，４ｂのそれぞれにも、前述と同様の第１長穴４０、第２長穴４１、及び溝部４０ａ，４１ａを形成してある。
【００２７】
次に、前述のように構成した本実施形態に係る重量測定装置を用いて、上枠３、縦枠２、及び乗かご１を含む乗かご装置の重量を測定するエレベータの重量測定方法の一実施形態について説明する。
【００２８】
重量測定が行われないときには図２に例示する状態に保たれている第１支持部材７ａ及び第２支持部材７ｂのそれぞれに、重量測定の開始に際し図３，４に示すように、荷重センサ保持装置１６を取り付け、この状態でこれらの荷重センサ保持装置１６によってそれぞれ２つの荷重センサ６を保持させることが行われる。
【００２９】
ここで、図５，６に示すように、当接装置４、すなわち１組の移動部材４ａ，４ｂ、及び他の１組の移動部材４ａ，４ｂのそれぞれを、昇降路８の壁面８ａに近づく方向に移動させて、荷重センサ６の上部に当接させることが行われる。
【００３０】
この場合、例えば１組の移動部材４ａ，４ｂに含まれる移動部材４ｂを、図３に示す状態がわずかに上昇させることにより、第１ピン５０が溝部４０ａ内を相対的に下降し、これにより移動部材４ｂの昇降路８の壁面８ａ方向への移動が可能となる。また、移動部材４ｂが荷重センサ６の上部に当接した状態では、図５に示すように、移動部材４ｂの自重により第２ピン５１が第２長穴４１のいずれかの溝部４１ａに挿入する。１組の移動部材４ａ，４ｂに含まれる移動部材４ａにあっても同様である。また、他の１組の移動部材４ａ，４ｂにあっても同様である。
【００３１】
このように第１支持部材７ａ側の１組の移動部材４ａ，４ｂ、及び第２支持部材７ｂ側の他の１組の移動部材４ａ，４ｂのそれぞれを、対応する４つの荷重センサ６の上部に当接させた状態で、上枠３及び乗かご１を含むのりかご装置を下降させることにより、乗かご装置の下降に伴う当接装置４の下降、すなわち前述の第１支持部材７ａ側の１組の移動部材４ａ，４ｂ、及び第２支持部材７ｂ側の他の１組の移動部材４ａ，４ｂの下降による押圧を受けた４つの荷重センサ６が作動する。したがって、４つの荷重センサ６によって検出される荷重を合計することによって、上枠３と縦枠２と乗かご１を含む乗かご装置の重量を測定することができる。
【００３２】
以上のように構成した本実施形態に係るエレベータの重量測定装置、及び重量測定方法によれば、第１，第２ガイドレール５ａ，５ｂを昇降路８の壁面８ａに支持させる第１，第２支持部材７ａ，７ｂを荷重センサ６を保持する荷重センサ保持装置１６の取り付け部材として活用したことから、また、当接装置４を荷重センサ６に当接させた状態で乗かご装置を下降させることによって荷重センサ６を作動させて、上枠３、縦枠２、及び乗かご１を含む乗かご装置の重量を測定することから、すなわち、前述した複数の油圧式のジャッキを設けることなく、乗かご装置の下降によって乗かご装置の重量を測定するようにしたことから、構造が簡単でコンパクトな構成とすることができ、昇降路８内への搬入作業、及び取り付け作業の作業能率を向上させることができる。また本実施形態は、部品数を少なく抑えることができ、製作費を安く抑えることができる。
【００３３】
また本実施形態は、図２に示すように、前述の第１支持部材７ａ側の１組の移動部材４ａ，４ｂ、及び第２支持部材７ｂ側の他の１組の移動部材４ａ，４ｂのそれぞれを、昇降路８の壁面８ａから離れる方向にそれぞれ退避させた状態にあっては、４つの第１ピン５０が移動部材４ａ，４ｂのそれぞれの第１長穴４０の溝部４０ａに入り込むことから、移動部材４ａ，４ｂのそれぞれが水平方向に動かないように保たれる。また本実施形態は、図５に示すように、移動部材４ａ，４ｂのそれぞれを、第１，第２支持部材７ａ，７ｂに取り付けた荷重センサ保持装置１６に保持させた荷重センサ６に当接させた状態にあっては、４つの第２ピン５１が移動部材４ａ，４ｂそれぞれの第２長穴４１の複数の溝部４１ａのうちのいずれかに入り込むことから、移動部材４ａ，４ｂのそれぞれが水平方向に動かないように保たれる。これにより、移動部材４ａ，４ｂのそれぞれと、対応する荷重センサ６とは、安定した当接関係に保たれる。これらのことから本実施形態は、信頼性の高い重量測定を実現させることができる。
【００３４】
また本実施形態は、移動部材４ａ，４ｂのそれぞれに形成した第２長穴４１に複数の溝部４１ａを設けてあるので、第１，第２ガイドレール５ａ，５ｂや第１，第２支持部材７ａ，７ｂの昇降路８内における設置寸法が異なる複数のエレベータにおける乗かご装置の重量測定に対応させることができる。
【００３５】
なお、当接装置４は、常時、上枠３に取り付けるようにしてもよく、また、重量測定が行われないときには上枠３から外し、重量測定時に上枠３に取り付けるようにしてもよい。
【符号の説明】
【００３６】
１    乗かご（乗かご装置）
２    縦枠（乗かご装置）
３    上枠（乗かご装置）
４    当接装置
４ａ  移動部材
４ｂ  移動部材
４ｃ  連結部材
５ａ  第１ガイドレール
５ｂ  第２ガイドレール
６    荷重センサ
７ａ  第１支持部材
７ｂ  第２支持部材
８    昇降路
８ａ  壁面
９    ガイドシュー
１０    メインロープ
１６    荷重センサ保持装置
１６ａ  上板
１６ｂ  下板
１６ｃ  締結具
４０    第１長穴
４０ａ  溝部
４１    第２長穴
４１ａ  溝部
５０    第１ピン
５１    第２ピン
【図１】
2015081190.tif 000003
【図２】
2015081190.tif 000004
【図３】
2015081190.tif 000005
【図４】
2015081190.tif 000006
【図５】
2015081190.tif 000007
【図６】
2015081190.tif 000008